【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
印を媒体に印刷する印刷装置であって、ハウジングと、上記ハウジングに設けられ、単色の印を上記媒体に印刷するための熱転写印刷ヘッドアッセンブリと、上記ハウジングに設けられ、少なくとも１つの単色の印を上記媒体に印刷するためのインクジェット印刷ヘッドアッセンブリと、上記熱転写印刷ヘッドアッセンブリと上記インクジェット印刷ヘッドアッセンブリとの間に設けられ、上記媒体を内部に蓄積するための分離手段と、上記分離手段と関連づけられ、上記分離手段に蓄積された上記媒体の量を検出するためのセンサとを備えたことを特徴とする印刷装置。
【請求項２】
上記インクジェット印刷ヘッドアッセンブリ（６４）により印刷された単色の印が、上記熱転写印刷ヘッドアッセンブリ（４０）により印刷された単色の印の色とは異なることを特徴とする請求項１記載の印刷装置（２０）。
【請求項３】
上記インクジェット印刷ヘッドアッセンブリ（６４）が、複数の単色の印を上記媒体（３０）に印刷するために用いられ、これら複数の単色はそれぞれ、上記熱転写印刷ヘッドアッセンブリ（４０）により印刷された単色の印の色とは異なることを特徴とする請求項１記載の印刷装置（２０）。
【請求項４】
上記インクジェット印刷ヘッドアッセンブリ（６４）が、複数の単色の印を上記媒体（３０）に印刷するために用いられ、これら複数の単色の内の１つが、上記熱転写印刷ヘッドアッセンブリ（４０）により印刷された単色の印の色と同じであることを特徴とする請求項１記載の印刷装置（２０）。
【請求項５】
上記分離手段は一対のフランジを有し、これらフランジが所定の相対角度をもって設けられることにより、上記媒体を上記分離手段内に蓄積することができ、且つ、上記フランジの間を上記媒体が通過できるような入口ポートと出口ポートが形成されることを特徴とする請求項１記載の印刷装置。
【請求項６】
上記センサが上記フランジの１つに設けられたことを特徴とする請求項５記載の印刷装置。
【請求項７】
上記熱転写印刷ヘッドアッセンブリと上記インクジェット印刷ヘッドアッセンブリを通過する上記媒体の移送を制御する制御手段が設けられたことを特徴とする請求項１記載の印刷装置。
【請求項８】
上記制御手段は、上記媒体に印刷されるべき印を表すシリアルデータストリームを処理して、上記熱転写印刷ヘッドアッセンブリと上記インクジェット印刷ヘッドアッセンブリの双方により使用可能な形式に変換し、さらに、上記熱転写印刷ヘッドアッセンブリと上記インクジェット印刷ヘッドアッセンブリを制御して所望の印を上記媒体に印刷させることを特徴とする請求項７記載の印刷装置。
【請求項９】
上記媒体が上記インクジェット印刷ヘッドアッセンブリに接触したことを判断するセンサをさらに備えることを特徴とする請求項１記載の印刷装置。
【請求項１０】
上記媒体を切り取る（切り裂く）ための切り取り手段をさらに備えることを特徴とする請求項１記載の印刷装置。
【請求項１１】
上記媒体を型切断するための切断手段をさらに備えることを特徴とする請求項１記載の印刷装置。
【請求項１２】
上記インクジェット印刷ヘッドアッセンブリに設けられ、上記インクジェット印刷ヘッドアッセンブリが上記媒体を横切る際、上記媒体の画像を捕らえるスキャナをさらに備えることを特徴とする請求項１記載の印刷装置。
【請求項１３】
上記スキャナが、上記媒体の光学的な画像を捕らえる光学式のスキャナである請求項１２記載の印刷装置。
【請求項１４】
上記スキャナが、上記媒体の磁気的な画像を捕らえる磁気式のスキャナである請求項１２記載の印刷装置。
【請求項１５】
印刷装置を用いて印を媒体に印刷する方法であって、
ハウジングと、上記ハウジングに設けられ、単色の印を上記媒体に印刷するための熱転写印刷ヘッドアッセンブリと、上記ハウジングに設けられ、少なくとも１つの単色の印を上記媒体に印刷するためのインクジェット印刷ヘッドアッセンブリと、上記熱転写印刷ヘッドアッセンブリと上記インクジェット印刷ヘッドアッセンブリとの間に設けられ、上記媒体を内部に蓄積するための分離手段と、上記分離手段に関連づけられ、上記分離手段に蓄積された上記媒体の量を検出するためのセンサとを備えた印刷装置を設けるステップＡと、
上記媒体が上記熱転写印刷ヘッドアッセンブリを通過し、上記分離手段を通過し、さらに、上記インクジェット印刷ヘッドアッセンブリを通過するようにするステップＢと、
上記熱転写印刷ヘッドアッセンブリを用いて上記媒体に単色の印を印刷するステップＣと、
上記分離手段の中に蓄積される上記媒体の所定の量を上記センサが検出するまで、上記媒体が上記分離手段内に蓄積されることを許容するステップと、
上記インクジェット印刷ヘッドアッセンブリを用いて上記媒体に単色の印を印刷するステップＤと、
からなることを特徴とする方法。
【請求項１６】
上記ステップＤにおいて、上記インクジェット印刷ヘッドアッセンブリ（６４）により印刷された単色の印の色が、上記熱転写印刷ヘッドアッセンブリ（４０）により印刷された単色の印の色とは異なることを特徴とする請求項１５記載の方法。
【請求項１７】
上記ステップＤにおいて、上記インクジェット印刷ヘッドアッセンブリ（６４）により印刷された単色の印の色が、上記熱転写印刷ヘッドアッセンブリ（４０）により印刷された単色の印の色と実質的に同じであることを特徴とする請求項１５記載の方法。
【請求項１８】
上記インクジェット印刷ヘッドアッセンブリ（６４）を用いて上記媒体（３０）に複数の単色の印を印刷するステップをさらに有することを特徴とする請求項１５記載の方法。
【請求項１９】
上記インクジェット印刷ヘッドアッセンブリ（６４）により印刷された単色の印の色が、上記熱転写印刷ヘッドアッセンブリ（４０）により印刷された単色の印の色とは異なることを特徴とする請求項１８記載の方法。
【請求項２０】
上記インクジェット印刷ヘッドアッセンブリにより印刷された単色の印の１つの色が、上記熱転写印刷ヘッドアッセンブリにより印刷された単色の印の色と実質的に同じであることを特徴とする請求項１８記載の方法。
【請求項２１】
上記媒体が上記インクジェット印刷ヘッドアッセンブリに接触したとき上記媒体の位置を検出するステップを更に有することを特徴とする請求項１５記載の方法。
【請求項２２】
上記媒体上に上記熱転写印刷ヘッドアッセンブリ及び上記インクジェット印刷ヘッドアッセンブリによる印刷がなされた後、上記媒体を切り取る（切り裂く）ステップを更に有することを特徴とする請求項１５記載の方法。
【請求項２３】
上記媒体上に上記熱転写印刷ヘッドアッセンブリ及び上記インクジェット印刷ヘッドアッセンブリによる印刷がなされた後、上記媒体を型切断するステップを更に有することを特徴とする請求項１５記載の方法。
【請求項２４】
上記熱転写印刷ヘッドアッセンブリを通過し、上記分離手段を通過し、上記インクジェット印刷ヘッドアッセンブリを通過する上記媒体の移送を制御する制御手段を設けるステップと、この制御手段を用いて、上記媒体に印刷されるべき印を表すシリアルデータストリームを処理して、上記熱転写印刷ヘッドアッセンブリと上記インクジェット印刷ヘッドアッセンブリの双方により使用可能な形式に変換し、さらに、上記熱転写印刷ヘッドアッセンブリと上記インクジェット印刷ヘッドアッセンブリを制御して所望の印を上記媒体に印刷させるステップを更に有することを特徴とする請求項１５記載の方法。
【請求項２５】
上記インクジェット印刷ヘッドアッセンブリが上記媒体を横切る際、上記媒体の光学的な画像を捕らえるための光学式のスキャナを設けるステップと、上記スキャナを用いて上記光学的な画像を捕らえるステップを更に有することを特徴とする請求項１５記載の方法。
【請求項２６】
上記インクジェット印刷ヘッドアッセンブリが上記媒体を横切る際、上記媒体の磁気的な画像を捕らえるための磁気式のスキャナを設けるステップと、上記スキャナを用いて上記磁気的な画像を捕らえるステップを更に有することを特徴とする請求項１５記載の方法。
【手続補正２】
【補正対象書類名】明細書
【補正対象項目名】００２６
【補正方法】変更
【補正の内容】
【００２６】
熱転写印刷ステーション２４は図４及び図５に最も良く示されている。熱転写印刷ステーション２４は１つの単色（例えば、黒）の印を印刷媒体３０上に印刷するために用いられる。熱転写印刷ステーション２４は駆動機構を有する。駆動機構は、通常の手法により印刷媒体３０を進めるべく、ベルトプーリ駆動アッセンブリ３４、３６、３８を介してステップモータ６０により駆動されるプラテンローラ３２を有する。熱転写印刷ステーション２４はさらに、熱転写印刷ヘッドアッセンブリ４０を有する。熱転写印刷ヘッドアッセンブリ４０は、１列のヒータ要素４４を備える通常の熱転写印刷ヘッド４２を有する。熱転写印刷ヘッド４２はピボット（旋回中心となる部材）４６を有し、ヒータ要素４４は印刷媒体３０の動きに対して直交するように配置される。付勢機構４８の作用により、ヒータ要素４４は印刷媒体３０に押しつけられ、印刷媒体３０はプラテンローラ３２に押しつけられる。付勢機構４８も熱転写印刷ヘッドアッセンブリ４０の一部を構成する。


【手続補正３】
【補正対象書類名】明細書
【補正対象項目名】００３４
【補正方法】変更
【補正の内容】
【００３４】
各モジュール９４−１００は複数のノズル（図示せず）を有し、熱、電荷、音波等（使用される印刷ヘッド技術により異なる）が印加されるとインクを印刷媒体３０上に噴射するようになっている。各モジュール９４−１００の各ノズルは主走査方向に直交する方向に等間隔で配置される。各モジュール９４−１００の各ノズルの第１位置１０２から最終位置１０４までの距離はインクジェット印刷ヘッドの「帯域（ｓｗａｔｈ  ）」として知られている。


【手続補正４】
【補正対象書類名】明細書
【補正対象項目名】００４５
【補正方法】変更
【補正の内容】
【００４５】
少なくとも１つのインクジェット印刷ヘッド帯域と、分離ステーション１２２の出口ポート１３０からインクジェット印刷ヘッドノズルの最後の位置１０４までの距離との合計長の印刷媒体が分離ステーション１２２に蓄積されるまで（この蓄積はアキュムレーションセンサ１３４により検出される）、熱転写印刷ステーション２４は印刷媒体３０の進行を続ける。印刷媒体３０はフランジ１２４と１２６の間に蓄積される。分離ステーション１２２に十分な蓄積ができると、インクジェット印刷ステーション２６が十分な長さの副走査を行い、印刷媒体３０をインクジェット印刷ヘッドアッセンブリ６４の下に位置させる。ここで、主走査が行われ印刷が始まる。このプロセスが実行される間、熱転写印刷ステーション２４は印刷媒体３０を分離ステーション１２２に進行させ続ける。